(57)【要約】【課題】売上金の回収に際し、回収時間を遅延させることなくＰＯＳ端末の売上金をなるべく多く回収させるようなＰＯＳシステムを提供すること。【解決手段】ＰＯＳ端末２０と、複数の前記ＰＯＳ端末を管理する管理装置１０からなるＰＯＳシステム１において、前記管理装置１０は、前記ＰＯＳ端末２０の売上金を回収する回収時刻の通知を受け、前記回収時刻に応じて、前記ＰＯＳ端末の売上金を入金するための入金機３０へ前記各ＰＯＳ端末から入金する目安時間を、前記各ＰＯＳ端末内の在庫金額に基づいて決定し、決定した入金の目安時間をそれぞれ対応する前記各ＰＯＳ端末に通知し、前記ＰＯＳ端末は、前記管理装置から通知された入金の目安時間を画面に表示する。【選択図】図１
2014115847.tif 000002
【特許請求の範囲】
【請求項１】
ＰＯＳ端末と、複数の前記ＰＯＳ端末を管理する管理装置からなるＰＯＳシステムにおいて、
前記管理装置は、前記ＰＯＳ端末の売上金を回収する回収時刻の通知を受け、前記回収時刻に応じて、前記ＰＯＳ端末の売上金を入金するための入金機へ前記各ＰＯＳ端末から入金する目安時間を、前記各ＰＯＳ端末内の在庫金額に基づいて決定し、決定した入金の目安時間をそれぞれ対応する前記各ＰＯＳ端末に通知し、
前記ＰＯＳ端末は、前記管理装置から通知された入金の目安時間を画面に表示する
ことを特徴とするＰＯＳシステム。
【請求項２】
前記管理装置は、在庫金額の多い前記ＰＯＳ端末について、入金の目安時間を遅くする
ことを特徴とする請求項１に記載のＰＯＳシステム。
【請求項３】
前記管理装置は、在庫金額の少ない前記ＰＯＳ端末から順次前記入金機に入金されるように、前記各ＰＯＳ端末の入金の目安時間を決定する
ことを特徴とする請求項１に記載のＰＯＳシステム。
【請求項４】
前記ＰＯＳ端末は、前記入金機への入金を促すメッセージとして、前記管理装置から通知された入金の目安時間に達するまでの時間に応じて、異なる内容のメッセージを画面に表示する
ことを特徴とする請求項１に記載のＰＯＳシステム。
【請求項５】
前記ＰＯＳ端末は、前記メッセージを前記売上登録のタイミングに合わせて表示する
ことを特徴とする請求項４に記載のＰＯＳシステム。
【請求項６】
前記ＰＯＳ端末は、前記入金機への入金を促すメッセージを所定の売上登録回数おきに表示する
ことを特徴とする請求項１に記載のＰＯＳシステム。
【請求項７】
前記ＰＯＳ端末は、回収時刻に近づくに応じて、少ない前記売上登録回数で前記メッセージを表示する
ことを特徴とする請求項６に記載のＰＯＳシステム。
【請求項８】
ＰＯＳ端末と複数の前記ＰＯＳ端末を管理する管理装置からなるＰＯＳシステムで、前記ＰＯＳ端末の売上金を回収する場合に、前記ＰＯＳ端末の売上金を入金機へ入金する目安時間を通知する通知方法において、
前記ＰＯＳ端末の売上金を回収する回収時刻の通知を受けるステップと、
前記回収時刻に応じて、前記ＰＯＳ端末の売上金を入金するための入金機へ前記各ＰＯＳ端末から入金する目安時間を、前記各ＰＯＳ端末内の在庫金額に基づいて前記管理装置により決定するステップと、
前記決定した入金の目安時間をそれぞれ対応する前記各ＰＯＳ端末に前記管理装置により通知するステップと、を含む
ことを特徴とする通知方法。
【請求項９】
複数のＰＯＳ端末を管理する管理装置のコンピュータに、前記ＰＯＳ端末の売上金を回収する場合に、前記ＰＯＳ端末の売上金を入金機へ入金する目安時間を前記各ＰＯＳ端末に通知する処理を実行させるプログラムにおいて、
前記ＰＯＳ端末の売上金を回収する回収時刻の通知を受けるステップと、
前記回収時刻に応じて、前記ＰＯＳ端末の売上金を入金するための入金機へ前記各ＰＯＳ端末から入金する目安時間を、前記各ＰＯＳ端末内の在庫金額に基づいて決定するステップと、
前記決定した入金の目安時間をそれぞれ対応する前記各ＰＯＳ端末に通知するステップと、を含む
ことを特徴とするプログラム。
【発明の詳細な説明】
【技術分野】
【０００１】
本発明は、ＰＯＳシステムの売上金回収処理に関する。
【背景技術】
【０００２】
デパートやスーパー、飲食店などの店舗（以降、小売店）ではＰＯＳ端末により日々の売上金を管理している。近年、警備会社は小売店と契約し、ＰＯＳ端末に収納される売上金を投入させる入金機（入出金機）を小売店に設置して、入金機へ投入された売上金を警備会社の回収員が回収し、警備会社は回収した売上金を金融機関へ送金・配達するサービスを行っている（例えば、特許文献１）。
【０００３】
警備会社は小売店との契約により定期的に売上金を回収、もしくは入金機に一定量の現金が投入された時点で非定期的な回収を行っている。回収の際には、事前に警備会社から小売店の出納室等の現金管理部署に回収日とおおよその時間帯（例えば、午前、午後等）の連絡が入り、小売店では、連絡された回収日とおおよその時間帯に間に合うように、販売員は各店舗の入金機にＰＯＳ端末の売上金を入金する。
【先行技術文献】
【特許文献】
【０００４】
【特許文献１】特開２００６−１５５０１５号公報
【発明の概要】
【発明が解決しようとする課題】
【０００５】
店舗の売上金はなるべく早く金融機関に預けることが、セキュリティや利息の点でも望ましいので、現金回収の際に、なるべく多くの金額がＰＯＳ端末から入金機に投入されることが求められる。
【０００６】
しかし、売上金を入金機に投入するには所定の時間がかかるため、店舗にある全てのＰＯＳ端末から回収ぎりぎりのタイミングで入金されると、警備会社の回収員による売上金の回収が遅延してしまう。
【０００７】
本願発明は、上記課題に鑑み、売上金の回収に際し、回収時間を遅延させることなくＰＯＳ端末の売上金をなるべく多く回収させるようなＰＯＳシステムを提供することを目的とする。
【課題を解決するための手段】
【０００８】
前記目的を達成するために、ＰＯＳ端末と、複数の前記ＰＯＳ端末を管理する管理装置からなるＰＯＳシステムにおいて、前記管理装置は、前記ＰＯＳ端末の売上金を回収する回収時刻の通知を受け、前記回収時刻に応じて、前記ＰＯＳ端末の売上金を入金するための入金機へ前記各ＰＯＳ端末から入金する目安時間を、前記各ＰＯＳ端末内の在庫金額に基づいて決定し、決定した入金の目安時間をそれぞれ対応する前記各ＰＯＳ端末に通知し、前記ＰＯＳ端末は、前記管理装置から通知された入金の目安時間を画面に表示する。
【発明の効果】
【０００９】
本発明によれば、売上金の回収に際し、回収時間を遅延させることなくＰＯＳ端末の売上金をなるべく多く回収させるようなＰＯＳシステムを提供することができる。
【図面の簡単な説明】
【００１０】
【図１】本発明の実施の形態に係るＰＯＳシステム１を含む現金回収の構成を示す図である。
【図２】回収時刻の連絡から売上金の回収が終わるまでの一連の処理を表にまとめたものである。
【図３】ＰＯＳ端末２０に表示される各メッセージの内容を表にしたものである。
【図４】ＰＯＳ端末（Ｎｏ１）２０へのメッセージＡの表示例である。
【図５】携帯端末５０からの通知と管理サーバ１０による処理の手順を説明するフローチャートである。
【図６】入金目安時間決定処理のサブルーチンを示すフローチャートである。
【図７】ＰＯＳ内現金管理テーブルである。
【図８】各ＰＯＳ端末２０に対する回収時刻と入金目安時間を示す表である。
【図９Ａ】ＰＯＳ端末２０により行われる処理の手順を説明するフローチャート（その１）である。
【図９Ｂ】ＰＯＳ端末２０により行われる処理の手順を説明するフローチャート（その２）である。
【図１０】変更サブルーチンの手順を示すフローチャートである。
【図１１】入金目安時間より算出する表示設定回数テーブルである。
【図１２】表示設定回数情報の例を示す表である。
【図１３】回収時刻の連絡により、店舗でＰＯＳ端末２０の売上金を入金するまでの様子を説明する図である。
【発明を実施するための形態】
【００１１】
以下、図面に従って本発明の実施形態を説明する。図１は、本発明の実施の形態に係るＰＯＳシステム１を含む現金回収の構成を示す図である。
ＰＯＳシステム１は、ＰＯＳ端末管理サーバ１０(以下管理サーバ１０と略す)と、店舗ごとに設置され複数のＰＯＳ端末２０からなる。ＰＯＳ端末２０は管理サーバ１０にＬＡＮ等で接続される。
【００１２】
管理サーバ１０は、複数のＰＯＳ端末２０を管理する管理装置で、メモリ(不図示)に記録されたプログラムを読込んで所定の処理を実行する。管理サーバ１０は、各ＰＯＳ端末２０から稼働状況や在庫金額情報が定期的に通知され、それらの情報を保存する。
【００１３】
ＰＯＳ端末２０は、店舗のレジに置かれ、売上金額やその他情報を表示する画面２５を有し、売上げた現金を収納保管する。
【００１４】
入金機（入出金機）３０は、ＰＯＳ端末２０の売上金が投入されて、投入されたＰＯＳ端末２０の売上金を警備会社によって回収されるまでの間保管するものである。入金機（入出金機）３０は、各店舗に設置される。
【００１５】
警備会社の回収員の所持する携帯端末５０と管理サーバ１０は、電話回線４０等で接続され、回収時刻が携帯端末５０から管理サーバ１０に通知される。店舗からの売上金の回収は、原則として、金融機関が営業している昼間に行われる。輸送途中の安全と、回収した売上金を金庫に保管するためである。店舗が営業している時間中に売上金回収が行われるため、営業の途中で販売員がＰＯＳ端末２０から売上金を入金機３０に入れる作業が必要になる。
【００１６】
〔第１実施形態〕
第１実施形態は、管理サーバ１０で各ＰＯＳ端末２０の入金機３０への入金の目安時間を決定し、各ＰＯＳ端末２０の画面にそれぞれ各自の入金の目安時間が表示されるようにしたものである。
【００１７】
詳しく言えば、管理サーバ１０は、ＰＯＳ端末２０の売上金を回収する回収時刻の通知を受け、回収時刻に応じて、ＰＯＳ端末の売上金を入金するための入金機３０へ各ＰＯＳ端末２０から入金する目安時間を、各ＰＯＳ端末２０内の在庫金額に基づいて決定し、決定した入金の目安時間をそれぞれ対応する前記各ＰＯＳ端末２０に通知するようにする。
【００１８】
図２は、回収員２００から回収時刻の連絡があってから、売上金の回収が終わるまでの一連の回収処理を表にまとめたものである。ＰＯＳ端末２０として、２台（Ｎｏ１、Ｎｏ２）を例にあげる。
【００１９】
１）回収連絡
警備会社の回収員２００が、回収時刻を携帯端末５０に入力し、携帯端末５０から回収時刻を管理サーバ１０に送信する。管理サーバ１０は、携帯端末５０から送信された回収時刻を受信し、回収時刻と入金目安時間を各ＰＯＳ端末２０に送信する。ここで、管理サーバ１０は、入金目安時間として、各ＰＯＳ端末２０の在庫金額に応じて異なる時間を決定し、送信する。
【００２０】
ＰＯＳ端末（Ｎｏ１）２０及びＰＯＳ端末（Ｎｏ２）２０は、送信された回収時刻と入金目安時間をメモリ（不図示）に保持しておく。
【００２１】
２）取引
ここで、ＰＯＳ端末（Ｎｏ１）２０は、同店舗内にてＰＯＳ端末内在庫金額が多い端末とする。また、ＰＯＳ端末（Ｎｏ２）２０は、同店舗内にてＰＯＳ端末内在庫金額が少ない端末とする。
【００２２】
ＰＯＳ端末２０では、回収時刻とともに、回収時刻までの時間に応じて、Ａ〜Ｈまで異なるメッセージが表示される。図３は、ＰＯＳ端末２０に表示されるＡ〜Ｈまでの各メッセージの内容を表にしたものである。
【００２３】
ＰＯＳ端末（Ｎｏ１）２０には、回収時刻に対して、２時間以上前の場合には、「回収時刻」と「本日の入金目安時間は、１４：２０です。」というメッセージＡが表示される。図４は、ＰＯＳ端末（Ｎｏ１）２０へのメッセージＡの表示例である。
【００２４】
同様に、ＰＯＳ端末（Ｎｏ１）２０には、回収時刻の１時間前はメッセージＢ（「回収時刻１時間前になりました。入金目安時間は、１４：２０です。」）が、回収時刻の３０分前はメッセージＣ（「入金準備をしてください。入金目安時間は、１４：２０です。」）が、１０分前はメッセージＤ（「回収時刻間近です。入金してください。」）が、それぞれ表示される。
【００２５】
また、ＰＯＳ端末（Ｎｏ２）２０には、回収時刻の２時間以上前はメッセージＥ（「本日の入金目安時間は、１４：００です。」）が表示され、回収時刻の１時間前はメッセージＦ（「回収時刻１時間前になりました。入金目安時間は、１４：００です。」）が、回収時刻の３０分前はメッセージＧ（「入金準備をしてください。入金目安時間は、１４：００です。」）が、１０分前はメッセージＨ（「回収時刻間近です。入金してください。」）が、それぞれ表示される。
【００２６】
この間で、販売員１００は、ＰＯＳ端末２０で、通常通りの取引処理（取引開始、取引終了）を行う。販売員１００は、入金準備をする場合には、３）に移行する。例えば、ＰＯＳ端末２０で、販売員１００により例えば出金キーを押下されると、入金準備３）に移行する。そして、回収時刻等のメッセージは非表示となる。
【００２７】
３）入金準備
各ＰＯＳ端末２０の販売員１００は、３）の入金準備として、入金を行う紙幣・硬貨を準備する。ＰＯＳ端末２０からは、釣銭等ＰＯＳ端末２０に残しておくべき紙幣・硬貨を除いた分が、入金用の金額として取出される。
【００２８】
４）入金
販売員１００は、準備した紙幣・硬貨を、入金機３０に入金し、入金機３０に対して入金完了操作を行う。入金機３０は、入金された紙幣・硬貨を保管する。
【００２９】
５）回収  
警備会社の回収員２００が、入金機３０に保管された紙幣・硬貨を回収する。
【００３０】
図５〜図１２を用いて、第１実施形態において管理サーバ１０とＰＯＳ端末２０によって行われる回収処理の手順を具体的に説明する。
図５は、回収員２００による携帯端末５０からの通知と管理サーバ１０による処理の手順を説明するフローチャートである。
【００３１】
警備会社の回収員２００は、回収時刻を携帯端末５０に入力し、携帯端末５０から回収時刻を通知する（ステップＳ１０）。回収時刻は、電話回線４０を通じて管理サーバ１０に通知される。
【００３２】
管理サーバ１０は、回収時刻通知の受信の有無を判断し（ステップＳ２０）、通知があるまで（ステップＳ２０Ｎｏ）ステップＳ２０をループする。回収時刻通知の受信があったと判断すると（ステップＳ２０Ｙｅｓ）、入金目安時間決定処理を行う（ステップＳ２２）。
【００３３】
図６は、入金目安時間決定処理のサブルーチンを示すフローチャートである。管理サーバ１０は、金額降順に順位を設定する（ステップＳ３０）。管理サーバ１０は、各ＰＯＳ端末２０の在庫金額の情報を受信して、在庫金額に応じて各ＰＯＳ端末２０の順位を設定する。なお、図６で示すＰＯＳ端末２０の各在庫金額は、図３，４で示したＰＯＳ端末２０の在庫金額の状態とは異なるものである。
【００３４】
図７は、以下で設定される入金目安時間を含むＰＯＳ内現金管理テーブルである。このテーブルで、各ＰＯＳ端末２０（Ｎｏ１〜Ｎｏ６）の在庫金額と、金額に応じて設定された順位の例を示す。例えば、ＰＯＳ端末（Ｎｏ１）２０は、最も在庫金額が少ないため、６番目の順位が設定される。
【００３５】
管理サーバ１０は、入金順位をａとし、ａ＝１、２、・・６としてステップＳ３２からステップＳ３６間をループし、入金目安時間＝回収時刻−１０分−５分×ａ位  として、入金目安時間を設定する（ステップＳ３４）。
【００３６】
図７の右欄が、設定された各ＰＯＳ端末２０（Ｎｏ１〜Ｎｏ６）の入金目安時間である。在庫金額の最も少ないＰＯＳ端末（Ｎｏ１）２０の入金目安時間が最も早い１３:２０で、それから５分間隔で各端末が並び、在庫金額の最も多いＰＯＳ端末（Ｎｏ５）２０の入金目安時間が最も遅い１３:４５に設定される。
【００３７】
在庫金額の多いＰＯＳ端末２０ほど入金を遅くしたのは、回収タイミングまでの売上が他より多く期待できるＰＯＳ端末２０ほど、回収ぎりぎりまで取引に使用させておきたいからである。これにより、店舗全体の回収金額としてできるだけ多くの金額が望める。
【００３８】
図５に戻る。管理サーバ１０は、該当ＰＯＳ端末２０へ回収時刻と入金目安時間を通知する（ステップＳ２４）。図８は、ＰＯＳ内現金管理テーブルに基づき作成された、各ＰＯＳ端末２０に対応する回収時刻と入金目安時間を示す表である。
【００３９】
管理サーバ１０は、全ＰＯＳ端末２０への通知が終了したかを判断し（ステップＳ２６）、終了していなければ（ステップＳ２６Ｎｏ）、ステップＳ２４に戻り通知を続行し、通知が終了したと判断すると（ステップＳ２６Ｙｅｓ）、ステップＳ２６の処理を終了する。
【００４０】
図９Ａ、Ｂは、ＰＯＳ端末２０により行われる処理の手順を説明するフローチャートである。ＰＯＳ端末２０は、売上登録開始を判断する（ステップＳ４０）。ＰＯＳ端末２０は、販売員１００により所定の操作されることで、売上登録を開始する。ＰＯＳ端末２０は、売上登録が開始されるまで（ステップＳ４０Ｎｏ）、ステップＳ４０をループする。
【００４１】
ＰＯＳ端末２０は、売上登録が開始されたと判断すると（ステップＳ４０Ｙｅｓ）、販売員１００の操作に従い、売上登録の処理を行う（ステップＳ４２）。
【００４２】
ＰＯＳ端末２０は、回収・入金目安時間通知を受けたかを判断する（ステップＳ４４）。図５のステップＳ２４で、管理サーバ１０からＰＯＳ端末２０に向けて送信された回収時刻と入金目安時間の通知である。ＰＯＳ端末２０は、回収・入金時間通知を受けていないと判断すると（ステップＳ４４Ｎｏ）、ステップＳ４０に戻る。
【００４３】
ＰＯＳ端末２０は、回収・入金目安時間通知を受けたと判断すると（ステップＳ４４Ｙｅｓ）、表示設定回数変更処理サブルーチン（以下、変更サブルーチンと略す）が起動中かを判断する（ステップＳ４６）。変更サブルーチンは、図３及び図４で示したようなメッセージをＰＯＳ端末２０に表示する回数（間隔）を変更する処理である。変更サブルーチンは、ステップＳ４４の回収・入金目安時間通知があるまでは、起動していない。
【００４４】
ＰＯＳ端末２０は、変更サブルーチンが起動していない場合には（ステップＳ４６Ｎｏ）、変更サブルーチンを起動する（ステップＳ４８）。ＰＯＳ端末２０は、変更サブルーチンが既に起動している場合には（ステップＳ４６Ｙｅｓ）、ステップＳ４８をジャンプする。
【００４５】
ＰＯＳ端末２０は、表示設定回数変更処理を実行する（ステップＳ５０）。図１０は、変更サブルーチンの手順を示すフローチャートである。入金目安時間と現在時間との差が、ｂｂ分前であるか（ｂｂ＝６０〜５分）を判断する（ステップＳ７０）。差がまだ６０分以上ある場合には（ステップＳ７０Ｎｏ）、６０分になるまでステップＳ５０をループする。
【００４６】
ｂｂ分前であると判断すると（ステップＳ７０Ｙｅｓ）、入金目安時間と現在時間との差に応じて表示設定回数を取得する（ステップＳ７２）。売上登録が何回かあった場合に、画面にメッセージを１回表示することとし、１回のメッセージが表示されるための売上登録の回数を表示設定回数とする。図１１は、入金目安時間より算出する表示設定回数テーブルである。
【００４７】
入金目安時間から６０分前であれば、売上登録枚数２０回につき１回対応するメッセージを表示するようにし、入金目安時間から１０分前になれば、売上登録枚数１回につき１回対応するメッセージを表示するようにする。なお、表示されるメッセージの内容は、図３で説明したように、回収時刻までの時間に対応して選択される。そして、取得した表示設定回数を決定する（ステップＳ７４）。
【００４８】
変更サブルーチンの処理により、入金目安時間まで比較的余裕がある場合には、メッセージの表示頻度を少なくし、入金目安時間が近づいたら、メッセージを頻繁に表示して、販売員１００に注意を促すことができる。
【００４９】
図９Ｂに戻る。ＰＯＳ端末２０は、表示設定回数情報を参照（ステップＳ５２）し、
参照した表示設定回数情報に基づき、表示設定回数≦売上登録回数か？を判断する（ステップＳ５４）。
【００５０】
図１２は、表示設定回数情報の例を示す表である。表示設定回数情報は、表示設定回数、現在の売上登録回数と出金フラグから構成される。この例は、ステップＳ７４で、入金目安時間から３０分前で表示設定回数として１０回が決定され、売上登録回数が現在１回であることを示す。出金フラグは、各ＰＯＳ端末２０の出金手続き状態を示すフラグで、出金未終了であれば０で、出金終了であれば１である。出金キーを押下され、出金処理が終了すると、フラグは１になる。
【００５１】
ＰＯＳ端末２０は、現在の売上登録回数が表示設定回数に達していないと判断すると（ステップＳ５４Ｎｏ）、メッセージを表示しないで、売上登録回数を+１して（ステップＳ６０）、ステップＳ４０に戻る。
【００５２】
ＰＯＳ端末２０は、現在の売上登録回数が表示設定回数に達したと判断すると（ステップＳ５４Ｙｅｓ）、回収のための出金処理が終了したかを、出金フラグにより判断する（ステップＳ５６）。
【００５３】
ＰＯＳ端末２０は、回収のための出金処理が終了していない（出金フラグ０）と判断すると（ステップＳ５６Ｎｏ）、画面に所定のメッセージを表示する（ステップＳ６２）。ＰＯＳ端末２０は、次の売上登録が開始されるまで、画面にメッセージを表示する。ＰＯＳ端末２０は、売上登録回数をクリアする（ステップＳ６４）。
【００５４】
ＰＯＳ端末２０は、回収のための出金処理が終了した（出金フラグ１）と判断すると（ステップＳ５６Ｙｅｓ）、起動している変更サブルーチンを停止して（ステップＳ５７）、回収・入金目安時間通知情報をクリアして（ステップＳ５８）、図１２の出金フラグをクリアして（ステップＳ５９）、ステップＳ６４に進む。
【００５５】
ＰＯＳ端末２０は、営業終了かを判断し（ステップＳ６６）、営業終了と判断すると（ステップＳ６６Ｙｅｓ）、処理全体を終了する。
営業終了は、販売員１００の操作により行われる。ＰＯＳ端末２０は、営業終了ではない判断すると（ステップＳ６６Ｎｏ）、ステップＳ４０に戻る。
【００５６】
〔第２実施形態〕
第２実施形態は、管理サーバ１０から各ＰＯＳ端末２０に回収時刻が送信され、各ＰＯＳ端末２０の画面に回収時刻が表示されるようにしたものである。
【００５７】
図１３は、回収時刻の連絡により、店舗でＰＯＳ端末２０の売上金を入金するまでの様子を説明する図である。
【００５８】
まず、警備会社の回収員２００が、携帯端末５０から電話回線４０を通じて管理サーバ１０に回収時刻（２０１２年９月１日１２：００）を通知する（（１））。
【００５９】
管理サーバ１０は、通知された回収時刻を受信する。通知された回収時刻（２０１２年９月１日１２：００）情報が、管理サーバ１０から各ＰＯＳ端末２０に送信される。
【００６０】
各ＰＯＳ端末２０の画面２５には、回収時刻として「２０１２年９月１日１２：００」が表示される。各ＰＯＳ端末２０の販売員１００は、画面を見て、ＰＯＳ端末２０の売上金を投入するタイミングを決める（（２））。
【００６１】
各ＰＯＳ端末２０の販売員１００は、適当な時期に、ＰＯＳ端末２０の売上金を持って、入金機３０に投入する（（３））。
【００６２】
ＰＯＳ端末２０の画面２５への回収時刻表示は、所定のプログラムを読込んだＰＯＳ端末２０の制御部（ＣＰＵ）によって制御される。
【００６３】
ＰＯＳ端末２０の制御部は、出金処理がされるまで、例えば、回収時刻を、１取引の終了時あるいは複数取引の終了時から、次の取引が開始されるまでの間画面２５に表示させる。あるいは、ＰＯＳ端末２０の制御部は、回収時刻を一定の時間間隔で画面２５に表示させるようにしてもよい。また、ＰＯＳ端末２０の制御部は、回収時刻が近付いたら、販売員１００により注意を促すために、表示の頻度を上げるようにしてもよい。
【００６４】
以上説明した実施形態による効果は、少なくとも以下のようである。
（１）ＰＯＳ端末に回収時刻が表示されるので、ＰＯＳ端末の販売員１００は、事前に準備をすることができ、本来回収する前に投入しなければならない売上金を投入し忘れることや繁忙により投入できないことが防止できる。
【００６５】
（２）ＰＯＳ端末ごとに入金する目安時間が表示されるので、それに従って、販売員が入金すれば、販売員が一斉に並んで入金機で混雑することを避けることができる。
【００６６】
（３）ＰＯＳ端末に表示するメッセージの内容を、入金する目安時間までの時間に応じて、変更するので、販売員１００へ十分な注意を喚起することができる。
【００６７】
（４）ＰＯＳ端末に表示するメッセージの表示の頻度が、入金する目安時間に近くなるほど、多くなるようにしたので、販売員１００へ十分な注意を喚起することができる。
【００６８】
（５）在庫金額が多いＰＯＳ端末ほど入金時間が遅くなるようにしたので、金融機関への売上金の預け入れ額を最大にすることができる。
【００６９】
なお、「回収時刻」や「目安時間」は、「時分」に限られるものではなく、図１３に示すように「年月日」あるいは「曜日」を含めるようにしてもよい。
【００７０】
また、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００７１】
１  ＰＯＳシステム
１０  管理サーバ
２０  ＰＯＳ端末
２５  画面
３０  入金機
４０  電話回線
５０  携帯端末
１００  販売員
２００  回収員
【図１】
2014115847.tif 000003
【図２】
2014115847.tif 000004
【図３】
2014115847.tif 000005
【図６】
2014115847.tif 000006
【図９Ｂ】
2014115847.tif 000007
【図１０】
2014115847.tif 000008
【図１３】
2014115847.tif 000009
【図４】
2014115847.tif 000010
【図５】
2014115847.tif 000011
【図７】
2014115847.tif 000012
【図８】
2014115847.tif 000013
【図９Ａ】
2014115847.tif 000014
【図１１】
2014115847.tif 000015
【図１２】
2014115847.tif 000016